(57)【要約】【課題】ＨＳＴ駆動装置の油圧ポンプ、油圧モータ内に、休止時においてもドレン油を保持することができ、かつ外部へのドレン配管が不要な、油圧機械式変速装置を提供する。【解決手段】油圧機械式変速装置が、変速装置ケース（４）に設置された、油圧ポンプ（６ａ）油圧モータ（６ｂ）を備えたＨＳＴ駆動装置（６）および油圧ポンプの入力軸、油圧モータの出力軸の間に介在された遊星歯車装置（８）と、油圧ポンプおよび油圧モータ各々内部のドレン油を、変速装置ケース内に排出するとともに排出を制限し内部に保持するドレン保持手段（１０）を具備している。【選択図】図１
2011043170.tif 000002
【特許請求の範囲】
【請求項１】
変速装置ケースに設置された、油圧ポンプ、油圧モータを備えたＨＳＴ駆動装置および油圧ポンプの入力軸、油圧モータの出力軸の間に介在された遊星歯車装置を有し、該油圧ポンプおよび油圧モータ各々内部のドレン油を排出または変速装置ケース内に貯留循環させる油圧機械式変速装置において、
該油圧ポンプおよび油圧モータ各々内部のドレン油の排出または循環を制限し内部に保持するドレン保持手段を具備したことを特徴とする油圧機械式変速装置。
【請求項２】
該ドレン保持手段が、開弁圧を規定した逆止弁を備えている、ことを特徴とする請求項１記載の油圧機械式変速装置。
【発明の詳細な説明】
【技術分野】
【０００１】
本発明は、ホイールローダ、トラクタなどの作業機械に好適な油圧機械式変速装置に関する。
【背景技術】
【０００２】
ホイールローダ、トラクタなどの作業機械には、無段変速装置である油圧機械式変速装置が装備されている（例えば、特許文献１参照）。
【０００３】
油圧機械式変速装置は、油圧ポンプおよび油圧モータを備えたＨＳＴ駆動装置と、油圧ポンプの入力軸と油圧モータの出力軸の間に介在された遊星歯車装置を備え、これらの装置は同じ１つの変速装置ケース内に設置されている。
【０００４】
油圧ポンプ、油圧モータのような周知の液圧回転機器（例えば、特許文献２参照）は、ピストン摺動部などからの定常的な漏れ油であるドレン油によって内部が潤滑され、このドレン油は変速装置ケースに直接排出貯留され、あるいは配管によって変速装置ケース外の例えばタンクに排出され、循環される。
【先行技術文献】
【特許文献】
【０００５】
【特許文献１】特開２００４−３５３６８５号公報（第１図）
【特許文献２】特開２００１−１４０７５１号公報（第２図）
【発明の概要】
【発明が解決しようとする課題】
【０００６】
上述したとおりの形態の従来の油圧機械式変速装置には、次のとおりの解決すべき課題がある。
【０００７】
すなわち、例えばホイールローダ、トラクタのような作業機械が休止した場合、ドレン油の発生はなく、かつ油圧ポンプ、油圧モータ内部のドレン油は外部に流出してしまう。したがって、ポンプ／モータのケース内にエアが混入し空隙ができ起動時あるいは再稼動時に回転体の潤滑不足による焼付きや破損のおそれがある。また、長期間休止した場合には、油圧ポンプ、油圧モータ内部に錆びが発生しやすい。さらに、内部空間のエアが油圧ポンプ、油圧モータの作動油に混入すると、作業機械の再稼動時に制御不良を発生させる原因になりやすい。
【０００８】
また、作業機械などの限られたスペースに搭載するために、ＨＳＴ駆動装置と遊星歯車装置は１つの変速装置ケース内に設置されている。したがって、ドレン配管をタンクに接続する場合、レイアウトが制限され配管コストが増加する。
【０００９】
本発明は上記事実に鑑みてなされたもので、その技術的課題は、ＨＳＴ駆動装置の油圧ポンプ、油圧モータ内に、休止時においてもドレン油を保持することができ、かつ外部へのドレン配管が不要な、油圧機械式変速装置を提供することである。
【課題を解決するための手段】
【００１０】
本発明によれば上記技術的課題を解決する油圧機械式変速装置として、変速装置ケースに設置された、油圧ポンプ、油圧モータを備えたＨＳＴ駆動装置および油圧ポンプの入力軸、油圧モータの出力軸の間に介在された遊星歯車装置を有し、該油圧ポンプおよび油圧モータ各々内部のドレン油を排出または変速装置ケース内に貯留循環させる油圧機械式変速装置において、該油圧ポンプおよび油圧モータ各々内部のドレン油の排出または循環を制限し内部に保持するドレン保持手段を具備したことを特徴とする油圧機械式変速装置が提供される。
【００１１】
好適には、該ドレン保持手段は、開弁圧を規定した逆止弁を備えている。
【発明の効果】
【００１２】
本発明に従って構成された油圧機械式変速装置は、油圧ポンプおよび油圧モータ各々の内部のドレン油を、変速装置ケース内に排出するとともに排出を制限し内部に保持するドレン保持手段を備えている。したがって、ドレン油は、休止時においても油圧ポンプ、油圧モータ内部に保持されるので、起動時あるいは再稼動時に回転体の潤滑不足による焼付きや破損のおそれ、錆びの発生、エアの混入を防止でき、作動時においては変速装置ケース内に直接ドレンされるので、外部へのドレン配管が不要である。
【図面の簡単な説明】
【００１３】
【図１】本発明に従って構成された油圧機械式変速装置の構成説明図。
【発明を実施するための形態】
【００１４】
以下、本発明に従って構成された油圧機械式変速装置について、好適実施形態を図示している添付図面を参照して、さらに詳細に説明する。
【００１５】
図１を参照して説明する。全体を番号２で示す油圧機械式変速装置は、変速装置ケース４内に設置された、油圧ポンプ６ａ、油圧モータ６ｂを備えたＨＳＴ駆動装置６および油圧ポンプ６ａの入力軸６ｃ、油圧モータ６ｂの出力軸６ｄの間に介在された遊星歯車装置８と、油圧ポンプ６ａおよび油圧モータ６ｂ各々の内部のドレン油を、変速装置ケース４内に排出するとともに排出を制限し内部に保持するドレン保持手段としての、開弁圧を規定した逆止弁１０、１０を具備している。
【００１６】
ＨＳＴ駆動装置６は、閉回路によって接続した、可変容量型の油圧ポンプ６ａおよび可変容量型の油圧モータ６ｂを備えている。
【００１７】
開弁圧を規定した逆止弁１０は、弁入口側が油圧ポンプ６ａ、油圧モータ６ｂそれぞれに取付けられ、弁出口側が変速装置ケース４内に開放されている。
【００１８】
逆止弁１０の開弁圧は、油圧ポンプ６ａ、油圧モータ６ｂが運転を休止したときに各々の内部のドレン油が外部に流出するのを止め、作動しているときには定常的に発生するドレン油を排出できる大きさに、油圧ポンプ６ａ、油圧モータ６ｂのサイズ、ドレン油量などに応じて、また油圧ポンプ６ａ、油圧モータ６ｂの内部の圧力を大きくしないようにできるだけ小さく設定される。
【００１９】
遊星歯車装置８は、入力軸８ａが連結されたキャリア８ｂ、キャリア８ｂに取付けられた複数個のプラネタリーギア８ｃ、プラネタリーギア８ｃが噛み合う内歯を有したリングギア８ｄ、プラネタリーギア８ｃが噛み合う外歯を有し出力軸８ｅが連結されたサンギア８ｆを有し、入力軸８ａにエンジンなどの動力源の駆動力が連結され、リングギア８ｄは一対のギア１２ａ、１２ｂを介して油圧ポンプ６ａの入力軸６ｃに連結され、出力軸８ｅは一対のギア１４ａ、１４ｂを介して油圧モータ６ｂの出力軸６ｄに連結され、出力軸８ｅは作業機械の走行装置に連結されている。
【００２０】
油圧機械式変速装置２は、可変容量型の油圧ポンプ６ａ、油圧モータ６ｂのＨＳＴ駆動装置６と遊星歯車装置８を備えることにより、エンジンからの入力を走行装置に、一部をＨＳＴ駆動装置６の流体を介して変速し、伝達し、残りを遊星歯車装置８により機械的に伝達し、伝達動力を所望の比率に分割し、ＨＳＴ駆動装置６の特徴と遊星歯車装置８の特徴をともに生かすようにしている。
【００２１】
上述したとおりの油圧機械式変速装置２の作用について説明する。
【００２２】
本発明に従って構成された油圧機械式変速装置２は、油圧ポンプ６ａおよび油圧モータ６ｂ各々の内部のドレン油を、変速装置ケース４内に排出するとともに排出を制限し内部に保持するドレン保持手段１０を備えている。したがって、ドレン油は、変速装置ケース４内に直接ドレンされるとともに、休止時においては油圧ポンプ６ａ、油圧モータ６ｂ内部に保持されるので、外部へのドレン配管が不要であるとともに、起動時あるいは再稼動時に回転体の潤滑不足による焼付きや破損のおそれ、錆びの発生、エアの混入を防止することができる。
【００２３】
したがって、例えばホイールローダ、トラクタのような作業機械において、作業の状況などによって油圧機械式変速装置が長期間休止しても、油圧ポンプ、油圧モータ起動時あるいは再稼動時に回転体の潤滑不足による焼付きや破損のおそれ、内部の錆び、作動油へのエアの混入などを防止でき、再稼動時の制御不良を防止することができ、油圧機械式変速装置２は作業機械に好適に用いることができる。
【００２４】
また、油圧機械式変速装置の１つの変速装置ケース内にＨＳＴ駆動装置と遊星歯車装置を設置した場合の、ドレン配管をタンクに接続するためのレイアウトが制限され配管コストが増加する問題も除くことができる。
【００２５】
さらに、ドレン保持手段は、開弁圧を規定した逆止弁１０を備えている。したがって、構造が簡単で、コンパクトで、安価なドレン保持手段を提供できる。
【００２６】
以上、本発明を実施例に基づいて詳細に説明したが、本発明は上記の実施例に限定されるものではなく、例えば下記のように、本発明の範囲内においてさまざまな変形あるいは修正ができるものである。
【００２７】
本発明の実施の形態においては、ドレン保持手段は、開弁圧を規定した逆止弁１０を備えているが、ドレン保持手段は、油圧ポンプおよび油圧モータ内部のドレン油を変速装置ケース内に排出するとともに排出を制限し内部に保持するものであればよいので、例えば油圧機械式変速装置の作動に連動して開閉し、作動時は開放し休止時は閉じてドレン油を保持する開閉弁であってもよい。
【符号の説明】
【００２８】
２：油圧機械式変速装置
４：変速装置ケース
６：ＨＳＴ駆動装置
６ａ：油圧ポンプ
６ｂ：油圧モータ
８：遊星歯車装置
１０：逆止弁
【図１】
2011043170.tif 000003